(57)【特許請求の範囲】
【請求項１】
断熱空気層を設けたプラスチック板体から成る仕切板体を、上下の横枠と左右の竪枠とに設けた支持溝に周辺において嵌設し、かつ該枠で囲む板体部分を貫通する多数の結合支持具で多数のカップル桟を該板体の両面に係止し該板体を平面状に支持して成る家屋造作用のカップル桟の仕切具。
【請求項２】
断熱空気層を設けたプラスチック板体から成る仕切板体を、上下の横枠と左右の竪枠とに設けた支持溝に周辺において嵌設し、かつ該枠で囲む板体部分を貫通する多数の結合支持具で多数のカップル桟を該板体の両面に係止し該板体を平面状に支持して成るカップル桟の仕切具を用いて成る引き戸又は開き戸。
【請求項３】
断熱空気層を設けたプラスチック板体から成る仕切板体を、上下の横枠と左右の竪枠とに設けた支持溝に周辺において嵌設し、かつ該枠で囲む板体部分を貫通する多数の結合支持具で多数のカップル桟を該板体の両面に係止し該板体を平面状に支持しかつ、該カップル桟がアルミ合金製でかつ該仕切板面側に結合支持具の係止溝を設けてあり、かつその係止溝に結合支持具を係止して成るカップル桟の仕切具を用いて成る引き戸又は開き戸。
【請求項４】
断熱空気層を設けたプラスチック板体から成る仕切板体を、上下の横枠と左右の竪枠とに設けた支持溝に周辺において嵌設し、かつ該枠で囲む板体部分を貫通する多数の結合支持具で多数のカップル桟を該板体の両面に係止し該板体を平面状に支持して成るカップル桟の仕切具において、該竪枠は内向きに開いた支持溝とともにその支持枠壁内に、ビスによる横枠係止用のＣチャンネルが設けられており、該Ｃチャンネルは支持溝内で該板体の制止片として機能する竪枠部材であり、横枠には内方に向いて開いた支持溝と該支持溝の溝底である支持壁を設けるとともに外方に開く解放溝を設けて成るカップル桟の仕切具を用いて成る引き戸又は開き戸。
【請求項５】
断熱空気層を設けたプラスチック板体２枚の間に電磁波遮蔽性の板又は塗膜を挟んで複合仕切板体を構成し、上下の横枠と左右の竪枠とに設けた支持溝に周辺において嵌設し、かつ該枠で囲む複合仕切板体部分を貫通する多数の結合支持具で多数のカップル桟を該板体の両面に係止して該板体を平面状に支持して成るカップル桟の仕切具を用いて成る引き戸又は開き戸。
【発明の詳細な説明】
【０００１】
【産業上の利用分野】
本発明は障子・襖等或いは木製・金属性の引き戸又は開き戸、仕切壁、縁側のガラス戸内側の遮光引き戸等の代わりに使用できる仕切具或いは仕切戸に関し、より詳細には、内部に空気層を設けたプラスチック板体を少なくとも一枚を有して成る仕切板体を、上下の横枠と左右の竪枠とに設けた支持溝に周辺において嵌設し、かつ該枠で囲む板体部分を貫通する多数の結合支持具で多数のカップルの桟を該板体の両面に係止し該板体を平面状に支持して成るカップル桟の仕切具及びその引き戸及び開き戸に関する。
【０００２】
【従来の技術】
従来、日本の代表的な仕切具としては障子・襖・衝立等があり、その他に木製・金属ドアー・ガラス戸・ガラスはめ込み戸、そして間仕切壁等がある。和紙による障子は破れ易く・汚れやすく・変色し易いために美しさを保つには毎年張り替えねばならず、維持に手数がかかり、容易に着火して燃え上がるので防火上も問題がある。和紙の代りに利用される塩化ビニール強化紙は和紙より光を強く反射するので目を刺激して和らかさに欠けるし、経年変色で醜く変色し着火し難いが火炎にあたると窒息性の有毒ガスを発生する。ガラスは割れた場合の危険性があるので、使用場所は限定される。和紙より引火し難く有毒ガスの発生が少なく割れる危険性のより少ない半透明の合成樹脂、ポリプロピレン・エポキシ樹脂・テフロン樹脂・アクリル樹脂等のうちでポリプロピレン素材によるナチュラル色のプラスチックス段ボールには和紙に近い透光性と不変色性があり、本発明のカップル仕切具の仕切板体の素材として好ましいが、従来の木枠の格子構造の障子の片面に和紙の代わりに取り付けて使用される程度であった。
【０００３】
【発明が解決しようとする課題】
そこで、紙で一瞬に燃えやすい家屋造作を変えるために障子・襖等を着火し難い前記透光性合成樹脂を主として構成して湾曲面に成りやすい合成樹脂板体を平面状に維持せしめて仕切機能を具備させるのが本発明の主たる課題である。
【０００４】
第２には、量産しやすく組立・分解の便利な仕切具の構造を提供するのが課題である。
【０００５】
第３には使用する合成樹脂で断熱空気層を構えた仕切板体に用途に適した手段を加えて目的対応の機能性の仕切板体を提供することが課題である。
【０００６】
第４には仕切板体の両面にカップル桟で平面に維持する構成の提供である。
【０００７】
第５にはカップル桟の結合支持具を外部から見えなくする構成の提供である。
【０００８】
【課題を解決するための手段】
本発明は和紙の代わりに、仕切板体として断熱空気層を設けた断熱性樹脂板体、例えば着火しにくく燃焼時に有毒ガスの発生が少なく、和らかな透光性のポリプロピレン製プラスチック段ボール或いは該樹脂板間に断熱隔離層を設けて成る断熱性樹脂板体の少なくとも１枚を有する仕切板体の周囲を竪枠と横枠の支持溝内で支持させるとともに該枠に囲まれる内方部分の仕切板体の両面を多数のカップルの桟相互を結合支持具、例えばネジ・ビス・係止ピン等で結合支持し該板体を平面状に支持せしめてカップル桟の仕切具を構成せしめる。
【０００９】
該仕切板体は機能板、例えば電磁波遮蔽板を加え、複合仕切板体を構成し、障子以外の各種の用途に使用可能である。
【００１０】
カップル桟はカップル相互の断面が同一形の場合と、異なる形の場合とがあるが仕切り板体を平面状に支持する作用効果を有することが必要で或る。
【００１１】
複合仕切板体では強く押さえるためにナット・ビス等で締め付ける押さえ桟と結合支持具の頭を隠すカバー桟を組合せたカップル桟を利用するのが好ましい。
【００１２】
カップル桟の仕切具は明かり取りや装飾的間仕切壁として固定できるが、引き戸としては下枠に滑動体、例えば摩擦係数の小なる固形樹脂体例えば、テフロン樹脂、ナイロン樹脂片を取り付けたり、桧・松・スプルース等滑りのよい木で構成したりして鴨居・敷居に滑動させたり、戸車例えばフラッター戸車等滑移動自在にする手段により鴨居とレールで開閉自在とし、障子・襖以上の便利さを付加するのが望ましい。更に障子にない機能例えば、電磁波遮蔽性・防火性・絵柄模様の表出や暗やみ時の浮き出し等を具備させるために、２層のプラスチックダンボール間に機能性板体例えば、ステンレス薄板・アルミ薄板・色柄板・パンチング板・ネット等を介在させたり、樹脂板体を絵柄模様にしたり、又は電磁波遮蔽に効果的でもある網目・孔目模様等を遮蔽機能性微粒子を利用して塗装・蒸着・印刷・ラミネート等の手段で表面加工したり、或いは又、遮蔽機能性微粒子を混入した合成樹脂を板体に成形して前記機能を加えることも好ましい。
【００１３】
カップル桟において、木製の桟のストレートではスクリュー釘或いは細長いビス類で仕切板体を貫通させてカップル桟を係止するのが好ましく、露出する頭をカバーする手段例えば、塗装又はカバー材を後付けするのも好ましい。
【００１４】
アルミ合金性のカップル桟では係止構造としてストレートの桟の断面は、Ｃ型又は角型等のチャンネルの係止縁片を具有せしめるとともに結合支持具として既製のビスや段付異型ビスを使用することも可能である。
【００１５】
塵の積もる横桟は省略して竪桟でカップル桟の仕切具を構成すると障子・襖等より不汚染性の仕切具或いは間仕切装置、たとえば引き戸或いは開き戸を提供できる。
更に、必要に応じて遮光可能とするために、２枚の仕切板間或いはその外面に遮光機能板を設け、該機能板を所定間隔移動可能として、該仕切板の一方又は双方の内向き面の一部を遮光手段で形成し、透光部分を前記遮光機能板の移動で閉塞又は透光可能とする構成を提供できる。仕切板体に窓を設けるのも好ましい。外部の様子がわかるし、開閉自在ならより便利である。引き戸の召し合わせ部の気密性を高める断面に竪枠の断面を構成するのが好ましい。
【００１６】
仕切具にエレクトリックルミネッセンス手段を加えて電源に接続し照明にできるし、枠を堅固に一体化し、竪枠に蝶番を複数設けて開き戸を提供できる。
【００１７】
木製の複数のカップル桟の仕切具を建物に設けた明かり取り枠に上下方向にスライド可能にキッチリと填め込み上下の引き違い仕切窓が提供できる。
上記を本発明によるほんの一実施例により詳述すると
【００１８】
【実施例１】
図１より図５に於いて、カップル仕切具１は断熱空気層を設けたプラスチック板体を少なくとも１枚を有して成る仕切板体５を、上下の横枠３ａ、３ｂと左右の竪枠２ａに設けた支持溝６（図３、図５）に周辺において嵌設し、かつ該枠２ａ、３ａ、３ｂで囲む板体部分を貫通する多数の結合支持具８で多数のカップルの桟４ａ、４ｂを該板体の両面に係止し該板体を平面状に支持して成る。該仕切具１の枠３ａ、３ｂ及び桟４ａ、４ｂは木製である。該竪桟は断面四角形であるが、角丸とか半円形等手触りや美感性ある形は一層好ましい（図１９）。該仕切具の下枠３ｂを滑りの良い木を用いて敷居の溝を滑移動自在である（図１９）。該仕切具の下枠の下面に滑動体として戸車１４ａを戸車設定位置４１に取り付けてレ−ル上をより軽快に開け閉て可能な引き戸にできる（後述）。
【００１９】
結合支持具は細長いネジ８ａか又はスクリュー釘を使うのも好ましい。
【００２０】
竪枠は木だから、簡単で図に示さないが竪枠の適宜の位置に蝶番を複数取り付けて、開き戸にもできる。
【００２１】
桟４ｂは片面５本で、該桟の外面側から反対側の、ネジで止め可能の堅い木の桟４ａ５本に、細いネジ８ａの結合支持具を仕切板体５を貫通させて固定させてある。
【００２２】
この仕切具には真ん中よりやや下に丸い透明の窓３８が設けてあって、窓枠３９は竪桟の部分だけ切除して二分してあり、透明板を両面の窓枠３９で挟み、止め具４０で固定してある（図３１参照）。
【００２３】
本例では桟を竪方向にのみ設けてあるが、横方向に限定して同じく構成可能だが、竪桟にはチリが積もり難いので本例は横桟の仕切具より一層、好ましい。
【００２４】
【実施例２】
図６より図１０では、断熱空気層を設けたプラスチック板体を少なくとも１枚を有して成る仕切板体５を上下の横枠３ｃ、３ｄと左右の竪枠２ｂに設けた支持溝６に周辺において嵌設し、かつ該枠で囲む板体５部分を貫通する多数の結合支持具とした係止ピン８ｂで多数のカップルの桟４ｃを該板体の両面に係止し該板体を平面状に支持して成るカップル桟の仕切具１である。
【００２５】
該仕切具の下枠に滑動体を設けて引き戸としたり、竪枠に蝶番を設けて開き戸にできる。
【００２６】
より詳しくは図１０乃至図１６に於いて、該カップル仕切具を引き戸に構成してある。竪枠２ｃは内向きに開いた支持溝（図１５参照）とともにその支持枠壁内に、ビスによる横枠係止用のＣチャンネル１２を支持溝内該板体の制止片として設けた竪枠部材であり、横枠３ｄには内方に向いて開いた支持溝（図１６参照）と該支持溝の溝底である支持壁１１を設けるとともに外方に開く解放溝を設けて成るカップル仕切具で、該仕切り具の組み立ては、左右の竪枠２ｃの両端で横枠３ｄの支持空間１０を構成する前後のＬ型壁の開放壁を所定区間部分的に切除して露出させた支持壁１１に、該支持壁を貫通させた固定ビス９を制止Ｃ溝１２にねじ込んで、竪枠２ｃを固定し四周の枠を構成してある（図１４）。
【００２７】
該四周の枠のうち竪枠２ｃと横枠３ｃ、３ｄの支持溝には仕切板体５としてポリプロピレン製のプラスチック段ボール７の上下左右の端縁部が所定の深さまで差し入れてあり、枠から外れない。
【００２８】
該プラスチック段ボール７による仕切板体５は隔壁が上下に通ずる方向で枠内に設けてあるので微細な塵の堆積を予防してあり、かつ断熱性で四周の枠の範囲内の両面には、該プラスチック段ボールを貫通させた結合支持具である係止ピン８ｂにより竪桟４が両面に係止されていて（図１０参照）、５対ある。ただし、５対に限定するものでなく、必要な多数の対を設けるものとする。
【００２９】
該係止ピン８ｂは２本の周溝をプラスチック段ボールの厚みの寸法に等しい間隔で離して両端より等間隔で設けてあり、該周溝にアルミ合金製のＣチャンネルであるカップル竪桟４ｃの開溝縁片が係止して両面から該板面の湾曲を押さえて平面状を維持している。該係止ピン８ｂは該段ボールと竪桟にカバーされて外見では見えないのでスマートで、横枠を外して竪桟をスライドさせると竪桟は該ピンから外れる構成である。
【００３０】
尚、ストレートのアルミ合金製の桟の結合支持具及び桟の他の一例をあげる。
【００３１】
第２例として図１１の結合支持具は異形二段ビス８ｃである。２枚のプラスチック段ボール間に断熱性・電磁波遮蔽性・防火性・遮光性等いろいろの機能をもたせる機能性板体２０、例えばアルミ合金薄板・ステンレス泊等を挟んで要所で該段ボールに固着してあるが、全体として異形二段ビス８ｃにより反対面より支持する竪桟４ｄの固定用のチャンネル１９に捩じ込んでカバーする竪桟４ｃの係止溝片を該ビスのクビの部分に差し込んでスライドさせ、該ビスの直列全個に差し込んで係止してある。本例はビスの捩じ込み作業が必要であるが、前記例と同様に外見からは見えない。
【００３２】
第３例としては図１２で一般に使用される丸頭ビスを結合支持具とし、固定側の竪桟４ｄの半アーク形断面の外壁内面側にはビス固定用のＣチャンネル１９が設けてあり、反対面から該Ｃチャンネル溝に台形の木又はアルミ合金性の押縁２２と仕切板体とを貫通せしめて該チャンネル溝に捩じ込んで該押縁２２０反対面につよく固定している。したがってカバー竪桟４ｆの溝縁片を該押縁の両斜面に沿わせてスライドさせて該ビスの頭部分と押縁とをカバーして外見から見えなくできる。
【００３３】
更に、横枠３ｃ、３ｄには半開放溝があり、下枠３ｄの半開放溝１３には滑動体１４としてフラッター戸車１４ａが支持壁１１にビス固定してある。
【００３４】
該滑動体１４は敷居部材１５のＶ溝に嵌まりその上部のカップル仕切具１全体を支えつつ滑移動自在で引き戸を構成せしめる（図１５、１６参照）。
【００３５】
図１７、１８に示すアルミ合金製のダブルのＶレールを設けた敷居部材１５は戸車１４ａを滑動体として設けたカップル仕切具の引き戸に用いることができる
好ましい一例で、鴨居部材１６とペアーで使用できる。
【００３６】
図１７の敷居部材１５は両側に床板を固定できる特徴を備えているが、図１８の敷居部材は床板に直かに固定可能な形態である。
【００３７】
該２例のアルミ合金製の敷居部材１５は所定間隔で設けた平行な二条のＶ型溝を設けるとともに該所定間隔の両端部下面に設けた支持用Ｌ型片縁を向き合わせて構成チャンネルを具有していて床板の上にも固定でき、二条のＶ溝間にビス差し入れ用の穴を穿孔して該穴より差し入れた固定ビスでチャンネルの間隙より床板に捩じ込んで止めるが、該穴には穴蓋２３が取り付けてある。
【００３８】
【実施例３】
図１９は実施例２のアルミ合金製の横枠３ｃ、３ｄと竪枠２ｃを在来の鴨居１７と敷居１８に適用すべくカップル仕切具を組み立てた一例で、木製の鴨居１７には二条の深溝を設けてあって上の横枠３ｃが滑移動自在に嵌めてあり、下の横枠３ｄにはナイロン樹脂・テフロン樹脂又は滑りの良い木材、例えば桧・松・桜等の滑動体１４を取り付けてあって下方の敷居１８の浅溝に嵌まって滑移動自在である。本例は従来から一般的に使用されてきた鴨居と敷居に合わせて構成してあるが、枠に木材を用いて本発明のカップル桟の仕切具及び引き戸及び開き戸が提供できるのも明白である。
【００３９】
【実施例４】
図２０、２１は２枚の仕切板間に所定高さＬまで遮光手段としてステンレス箔を間在せしめ、該ステンレス箔の高さ以上に於いて透光可能としたもので、仕切板体の上方の透光部分がダブルチェックの遮光板を竪桟４及び両側の竪枠２に設けたスライド溝に上下にスライドさせて遮光と解除可能とした構成である。遮光板の素材は軽量が好ましく例えば、ステンレス薄板・化粧ベニヤ・合成樹脂とアルミ合金の複合板等で遮光可能のものが望ましい。
【００４０】
該遮光板２６は最下方の手動操作板２４に嵩上板２５を介して遮光板２６を５枚取り付けたもので、各遮光板の中の両側の各１枚の片側は竪枠２のスライド溝２７内に嵌まり（図２２参照）、他側は押さえ側の竪桟４のスライド溝２７に嵌まって（図２３）上下に滑移動自在であり、中よりの３枚は押さえ側の竪桟４のスライド溝に両側が嵌まり上下に滑移動自在である。従って遮光の場合は手動操作板２４を引き上げ、竪枠のストッパー２８上に手動操作板を係止させれば、下方の仕切板体部分も前記ステンレス箔を間在させる機能性板体であるから遮光するので、全面が遮光する効果が生ずる。逆に遮光を解除するには両枠のストッパー２８を枠内に押して手動操作板の係止を外して下方に引き下げると遮光ライン部分１より上の仕切板体部分が光を導入することになる。該竪枠２は外側面の断面が波形で、隣り合うカップル仕切具を召し合わせると、図２４、図２５に示すように密着し光の遮蔽に好都合である。これは竪枠の片側を上下逆にして可能である。
【００４１】
図２５に示すアーク形の竪溝を設けてあれば、一方の竪枠の竪溝に断面円形のシール３３、例えばゴム、ポリウレタン素材品等を接着・固定することにより遮光機能とともに気密度も高めることができる。
【００４２】
上述のストッパー３０のほんの一例を示すと、埋め込みボックス２９は図２６、２７に於いて、ストッパー３０は軸３２を中心に矢印方向に回動可能であるがバネ３１で弾力的に押し出されているが、枠孔にとりつければ、手動操作板２４にあたって引っ込み圧力が解除されると出っ張って該操作板を下から支持する。該操作板を下げるためには該ストッパーを押し込めばよい。
【００４３】
【実施例５】
図２８は桟固定段落溝３４を設けた横枠の一実施例で、段差により、仕切板体５の面に加わる直角方向の衝撃を竪桟４で支持できる。
【００４４】
カッブル桟の仕切具の下枠に該桟固定段落溝を設けて、かつ戸車を取り付けた引き戸及び蝶番を設けた開き戸は頑丈である。
【００４５】
【実施例６】
図２９のカップル桟の引き戸は下から腰板４２、ガラス窓４３を設け、上半分は仕切板体５をカップ。桟で平面状に支持して成る窓付き引き戸４４の一例である。
【００４６】
【実施例７】
図３０はループ形のカップル桟４より放射状にストレートのカップル桟４を結合支持具で取り付けてある。ループ内に絵その他も飾れるこの装飾的な仕切具もカップル桟の仕切具の一例である。
【００４７】
尚、本発明は上記の各実施例に限定されるものではない。
【効果】
本発明に於いては、竪桟のみでも実施可能なので、塵やゴミが堆積する横桟を省略するとチリが堆積はわずかとなり汚れにくい効果は大である。次には内外両面のカップルの桟を仕切板体を貫通せしめた結合支持具で結合し、柔軟な湾曲し易い仕切板体を平面状に維持し、内外の温度差によるプラスチックの変形を防止して、開閉の不具合を解消する効果がある。
【００４８】
更に仕切板体が空気層を含むから、断熱性がよく、断熱障子や襖として断熱引き戸として使用できる。簡単に破れないので、張り替え不要の障子としての効果
が大きい。ポリプロピレン製のプラスチック段ボールは和紙より着火性が遅く、和紙の障子より防火的でもあり、かつその自然色は退色性がない点でも優れている。
【００４９】
カップルの竪桟がアルミ合金部材であれば、防火性が高く木よりも汚れにくく耐久性が高まり、結合支持具を露出させないで両面に同様の美感性を具有させる効果が大きい。アルミ合金の竪枠と横枠の組み立てでは、簡単な横枠の部分切除とビス止めが可能で解体と修理が容易であり、竪枠の外側面を上下逆では密着する召し合わせ断面形状にして断熱性・遮光性等を高められる。
【００５０】
仕切板には断熱性の高いプラスチック段ボールを用いるほかにも、アクリル樹脂板その他用途により適宜に選択して断熱隔離層を直線以外の曲線としたり、色ものを加える等の手段で絵柄模様を構成させり、機能性の複合仕切板体として電磁波遮蔽・防火・防音・不汚染を付与させたり、遮光・絵柄模様の美感による感覚刺激等の機能性を付与できる効果もえることが可能である。
【００５１】
更に、部分的に透光性とし、該透光部分を遮光する手段を加えて暗室に変化させたり夜間遮光して安眠室に変化させる効果がある。幼児のためには、割れないので安全性が大きい。
【００５２】
該仕切具の下枠に戸車を設けて引き戸とすれば軽快である。がフラッター戸車を取り付け、Ｖレールに滑移動させれば、掃除も楽であり、足元に出っ張りもなく便利である。
カップル桟の結合に結合ピンを利用すれば、カップル桟の取り外しが簡単で、仕切り板体の交換が容易である。
【００５３】
仕切板体に窓を設けて、外部の様子を知る手段を加えると一層便利である。四角い窓もよいが、丸い窓だと装飾性があり、一層好ましい。
【００５４】
以下の図面は本発明によるほんの一実施例の縮小概略図である。
【図面の簡単な説明】
【図１】    実施例１のカップル桟の仕切具の正面図、
【図２】    図１中の断面Ａ−Ａ’の拡大図、
【図３】    図２中の円内の拡大図、
【図４】    実施例１の背面図、
【図５】    図４中の断面Ｂ−Ｂ’、
【図６】    実施例２のカップル桟の仕切具の縮小正面図、
【図７】    実施例２のカップル桟の仕切具の縮小背面図、
【図８】    仕切板体の内部構造を省略した図６中のＤ−Ｄ’拡大断面図、
【図９】    仕切板体と横桟の内部構造を省略した図６中のＣ−Ｃ’拡大断面図、
【図１０】  実施例２中の竪桟の１例で、
（Ａ）図８中の部分拡大断面図
（Ｂ）Ａ図中の結合ピンの斜視図
【図１１】  実施例２中の竪桟の第１例で、仕切板体の内部構造を省略した図８中の部分拡大断面図、
【図１２】  実施例２中の竪桟の第３例で、仕切板体の内部構造を省略した図８中の部分拡大断面図、
【図１３】  実施例２の下枠の拡大底面図、
【図１４】  実施例２の竪枠と横枠の組み立て完成部分見透図、
【図１５】  図１４中の竪枠Ｅ−Ｅ’の水平断面図、
【図１６】  図１４中の横枠Ｆ−Ｆ’の垂直断面図、
【図１７】  敷居部材の垂直断面とカップル桟の仕切具の引き戸の下の横枠関連部分側面図、
【図１８】  鴨居部材と敷居部材とカップル桟の仕切具の引き戸の関連部分側面図、
【図１９】  鴨居と敷居とカップル桟の仕切具の引き戸の関連部分側面図、
【図２０】  実施例３のカップル桟の仕切具の縮小正面図、
【図２１】  実施例３のカップル桟の仕切具の縮小背面図、
【図２２】  仕切板の内部構造を省略した図２０中の断面Ｇ−Ｇ’の拡大部分断面図、
【図２３】  仕切板の内部構造を省略した図２０中の断面Ｈ−Ｈ’の拡大部分断面図、
【図２４】  実施例４の竪枠の召し合わせ状態図、
【図２５】  シールによる気密竪枠の召し合わせの一例の断面図、
【図２６】  ストッパー埋め込みボックスの一例の平面図、
【図２７】  図２６中の断面Ｉ−Ｉ’、
【図２８】  実施例６の横枠の垂直断面図。
【図２９】  実施例７の装飾桟によるカップル仕切具の正面図である。
【図３０】  窓枠の一例
【符号の説明】
１  カップル桟の仕切具、２ａ  竪枠、２ｂ  竪枠、２ｃ  竪枠、３  横枠、３ａ横枠、３ｂ  横枠、３ｃ  横枠、３ｄ  横枠、４  カップル桟、４ａ  竪桟、４ｂ  竪桟、４ｃ  竪桟、５  仕切板体、６  支持溝、７  プラスチック段ボール、８  結合支持具、８ａ  細長いネジ、８ｂ  係止ピン、８ｃ  異形２段ビス、８ｄ  ビス、９  固定ビス、１０  支持空間、１１  支持壁、１２  制止Ｃ溝、１３  半開放溝、１４  滑動体、１４ａ  戸車、１５  敷居部材、１６  鴨居部材、１７  鴨居、１８  敷居、１９  チャンネル、２０  機能性板体、２１  機能性塗膜、２２  押縁、２３  穴蓋、２４  手動操作盤、２５  嵩上板、２６  遮光板、２７  スライド溝、２８  ストッパー、２９  埋め込みボックス、３０  ストッパー、３１  バネ、３２  軸、３３  シール、３４  桟固定段落溝、３５  ループ形装飾桟、３６  ストレート装飾桟、３７  把手、３８  透明板、３９  窓枠、４０  止め具、４１  戸車設定位置  である。
【図１】
0003783953.tif 000002
【図２】
0003783953.tif 000003
【図３】
0003783953.tif 000004
【図４】
0003783953.tif 000005
【図５】
0003783953.tif 000006
【図６】
0003783953.tif 000007
【図７】
0003783953.tif 000008
【図８】
0003783953.tif 000009
【図９】
0003783953.tif 000010
【図１０】
0003783953.tif 000011
【図１１】
0003783953.tif 000012
【図１２】
0003783953.tif 000013
【図１３】
0003783953.tif 000014
【図１４】
0003783953.tif 000015
【図１５】
0003783953.tif 000016
【図１６】
0003783953.tif 000017
【図１７】
0003783953.tif 000018
【図１８】
0003783953.tif 000019
【図１９】
0003783953.tif 000020
【図２０】
0003783953.tif 000021
【図２１】
0003783953.tif 000022
【図２２】
0003783953.tif 000023
【図２３】
0003783953.tif 000024
【図２４】
0003783953.tif 000025
【図２５】
0003783953.tif 000026
【図２６】
0003783953.tif 000027
【図２７】
0003783953.tif 000028
【図２８】
0003783953.tif 000029
【図２９】
0003783953.tif 000030
【図３０】
0003783953.tif 000031